(57)【要約】【課題】  ＰＤＡなど前述の携帯情報機器に表示するためには、頻繁にスクローリング操作を必要とするなど使い勝手に関して問題が生じた。上記の問題に対処する方法として、例えば様々なクライアント端末の表示能力に応じたユーザインタフェースを提供する方法が考えられる。しかしながら、上記の解決方法においては、頻繁なスクローリング操作は軽減されるものの、例えばユーザが任意の領域を表示させるまでには、毎回スクローリング操作が要求される。【解決手段】  コンテンツデータの表示領域を指定する表示領域指定手段と、表示領域指定手段によって得られた表示領域にズーム設定を行うズーム設定手段と、表示領域指定手段とズーム設定手段によって得られたビュー（表示領域とズーム設定）をコンテンツデータ内に保存するためのコンテンツビュー情報記憶手段を設けることを特徴とする。【選択図】      図２
2005234652.tif 000002
【特許請求の範囲】
【請求項１】
地図や図面、画像などのデジタルコンテンツを取り込むためのコンテンツデータ入力手段と、入力されたコンテンツデータを保存するためのコンテンツデータ記憶手段と、コンテンツデータをコンテンツデータ記憶手段に格納するコンテンツデータ格納手段と、格納されたコンテンツデータを出力用に変換するためのコンテンツデータ出力変換手段と、出力用に変換された単独または複数のコンテンツデータを出力するためのコンテンツデータ出力手段を備えた情報処理装置において、
前記コンテンツデータ格納手段からコンテンツデータを指定するコンテンツデータ指定手段と、
前記コンテンツデータ指定手段によって指定されたコンテンツデータの表示領域を指定する表示領域指定手段と、
前記表示領域指定手段によって得られた表示領域にズーム設定を行うズーム設定手段と、
前記表示領域指定手段とズーム設定手段によって得られたビュー（表示領域とズーム設定）をコンテンツデータ内に保存するためのコンテンツビュー情報記憶手段を設け、
前記コンテンツデータ指定手段から指定した１つ以上のビュー情報を付加したコンテンツデータをコンテンツデータ出力手段から出力できるように構成したことを特徴とするコンテンツ表示方法。
【請求項２】
前記コンテンツデータ出力手段は、情報処理装置に内蔵されているかもしくは有線または無線により接続されたディスプレイ装置への出力を行うものであることを特徴とする請求項１に記載のコンテンツ表示方法。
【請求項３】
前記コンテンツデータ出力手段から出力されるコンテンツデータは、サムネイル表示が出来ることを特徴とする請求項１に記載のコンテンツ表示方法。
【請求項４】
前記コンテンツデータ出力手段から出力されるコンテンツデータのサムネイル表示は、コンテンツデータ指定手段からコンテンツの指定が出来ることを特徴とする請求項３に記載のコンテンツ表示方法。
【請求項５】
前記コンテンツデータ出力手段から出力されるコンテンツデータは、ビュー情報を読む、読まないの指定が出来ることを特徴とする請求項１に記載のコンテンツ表示方法。
【請求項６】
前記コンテンツデータ出力手段から出力されるコンテンツデータは、ビュー情報のみを表示することが出来ることを特徴とする請求項１に記載のコンテンツ表示方法。
【請求項７】
前記コンテンツデータ出力手段から出力されるコンテンツデータは、１つ以上のビュー情報を指定して表示することが出来ることを特徴とする請求項１に記載のコンテンツ表示方法。
【請求項８】
前記コンテンツデータ出力手段から出力されるコンテンツデータは、指定したビュー情報の含まれるコンテンツデータ全体を表示し、その中でビュー情報を識別させて表示することが出来ることを特徴とする請求項１に記載のコンテンツ表示方法。
【請求項９】
請求項１〜８いずれかに記載されたコンテンツ表示方法を使用してコンテンツデータを出力することを特徴とする装置。
【請求項１０】
請求項１〜８いずれかに記載されたコンテンツ表示方法を使用した装置で解釈実行することのできるプログラムを格納したことを特徴とする記憶媒体。
【請求項１１】
地図や図面、画像などのデジタルコンテンツを取り込むためのコンテンツデータ入力手段と、入力されたコンテンツデータを保存するためのコンテンツデータ記憶手段と、コンテンツデータをコンテンツデータ記憶手段に格納するコンテンツデータ格納手段と、格納されたコンテンツデータを出力用に変換するためのコンテンツデータ出力変換手段と、出力用に変換された単独または複数のコンテンツデータを出力するためのコンテンツデータ出力手段を備えた情報処理装置において、
前記コンテンツデータ格納手段からコンテンツデータを指定するコンテンツデータ指定手段と、
前記コンテンツデータ指定手段によって指定されたコンテンツデータの表示領域を指定する表示領域指定手段と、
前記表示領域指定手段によって得られた表示領域にズーム設定を行うズーム設定手段と、
前記表示領域指定手段とズーム設定手段によって得られたビュー（表示領域とズーム設定）をコンテンツデータと別個に保存するためのビュー情報記憶手段を設け、
前記ビュー情報記憶手段に格納されたビュー情報と前記コンテンツデータ格納手段に格納されたコンテンツデータとを合成して特定のビューを表示するためのビュー処理手段を設け、
前記コンテンツデータ指定手段から指定した１つ以上のビュー情報を付加したコンテンツデータを前記コンテンツデータ格納手段に格納されたコンテンツデータ自体を加工することなく生成してコンテンツデータ出力手段から出力できるように構成したことを特徴とするコンテンツ表示方法。
【請求項１２】
前記コンテンツデータ出力手段は、情報処理装置に内蔵されているかもしくは有線または無線により接続されたディスプレイ装置への出力を行うものであることを特徴とする請求項１１に記載のコンテンツ表示方法。
【請求項１３】
前記コンテンツデータ出力手段から出力されるコンテンツデータは、サムネイル表示が出来ることを特徴とする請求項１１に記載のコンテンツ表示方法。
【請求項１４】
前記コンテンツデータ出力手段から出力されるコンテンツデータのサムネイル表示は、コンテンツデータ指定手段からコンテンツの指定が出来ることを特徴とする請求項１３に記載のコンテンツ表示方法。
【請求項１５】
前記コンテンツデータ出力手段から出力されるコンテンツデータは、ビュー情報を読む、読まないの指定が出来ることを特徴とする請求項１１に記載のコンテンツ表示方法。
【請求項１６】
前記コンテンツデータ出力手段から出力されるコンテンツデータは、ビュー情報のみを表示することが出来ることを特徴とする請求項１１に記載のコンテンツ表示方法。
【請求項１７】
前記コンテンツデータ出力手段から出力されるコンテンツデータは、指定したビュー情報の含まれるコンテンツデータ全体を表示し、その中でビュー情報を識別させて表示することが出来ることを特徴とする請求項１１に記載のコンテンツ表示方法。
【請求項１８】
請求項１１〜１７いずれかに記載されたコンテンツ表示方法を使用してコンテンツデータを出力することを特徴とする装置。
【請求項１９】
請求項１１〜１７いずれかに記載されたコンテンツ表示方法を使用した装置で解釈実行することのできるプログラムを格納したことを特徴とする記憶媒体。
【発明の詳細な説明】
【技術分野】
【０００１】
本発明は、携帯情報端末（ＰＤＡ）、携帯電話やＰＨＳ、パーソナルコンピュータ（ＰＣ）等情報処理装置に適用し、デジタルコンテンツに対して、ユーザが任意に登録した表示領域とズーム設定でコンテンツを表示するためのコンテンツ表示方法およびこの方法を使用する装置、および記憶媒体に関するものである。
【背景技術】
【０００２】
近年、クライアント端末の多様化が進み、ＰＤＡ（Ｐｅｒｓｏｎａｌ  Ｄｉｇｉｔａｌ  Ａｓｓｉｓｔａｎｃｅ）、携帯電話、ナビゲーションシステム等の携帯情報機器において、電子メディアやネットワークを介した地図サービスや、画像ビューアとしての利用が進んでいる（特許文献１参照）。
【特許文献１】特開２００２−３５４１６４号公報
【発明の開示】
【発明が解決しようとする課題】
【０００３】
このようなクライアント端末の多様化に伴い、従来のＰＣに比べ比較的小さな表示領域しか持たないＰＤＡなど前述の携帯情報機器に表示するためには、頻繁にスクローリング操作を必要とするなど使い勝手に関して問題が生じた。
【０００４】
上記の問題に対処する方法として、例えば様々なクライアント端末の表示能力に応じたユーザインタフェースを提供する方法が考えられる。
【０００５】
しかしながら、上記の解決方法においては、頻繁なスクローリング操作は軽減されるものの、例えばユーザが任意の領域を表示させるまでには、毎回スクローリング操作が要求される。
【０００６】
本発明は上記の実情に鑑みてなされたものであり、その目的とするところは、ユーザが任意の地点などを登録し、登録された地点を呼び出すことによって表示の利便性を向上させたコンテンツ表示方法およびこの方法を使用する装置、および記憶媒体を提供することである。また、任意の地点だけでなく、その拡大率も登録することで、ユーザが必要とするズーム倍率で登録、表示するコンテンツ表示方法およびこの方法を使用する装置、および記憶媒体を提供することである。また本発明は、統一的なフォーマットを利用することで、様々な携帯情報機器からＰＣまで統一的に対応することができるコンテンツ表示方法を提供することを目的とする。
【課題を解決するための手段】
【０００７】
上記目的を達成するために、本発明のコンテンツ表示方法は以下のような構成要素を備えるようにした。すなわち、
コンテンツデータ格納手段からコンテンツデータを指定するコンテンツデータ指定手段と、
前記コンテンツデータ指定手段によって指定されたコンテンツデータの表示領域を指定する表示領域指定手段と、
前記表示領域指定手段によって得られた表示領域にズーム設定を行うズーム設定手段と、
前記表示領域指定手段とズーム設定手段によって得られたビュー（表示領域とズーム設定）をコンテンツデータ内に保存するためのコンテンツビュー情報記憶手段を設け、
前記コンテンツデータ指定手段から指定した１つ以上のビュー情報を付加したコンテンツデータをコンテンツデータ出力手段から出力できるように構成した。
【０００８】
また、ビュー情報記憶手段をコンテンツデータと別個に保存する場合には、以下のような構成要素を備えるようにした。すなわち、
コンテンツデータ格納手段からコンテンツデータを指定するコンテンツデータ指定手段と、
前記コンテンツデータ指定手段によって指定されたコンテンツデータの表示領域を指定する表示領域指定手段と、
前記表示領域指定手段によって得られた表示領域にズーム設定を行うズーム設定手段と、
前記表示領域指定手段とズーム設定手段によって得られたビュー（表示領域とズーム設定）をコンテンツデータと別個に保存するためのビュー情報記憶手段を設け、
前記ビュー情報記憶手段に格納されたビュー情報と前記コンテンツデータ格納手段に格納されたコンテンツデータとを合成して特定のビューを表示するためのビュー処理手段を設け、
前記コンテンツデータ指定手段から指定した１つ以上のビュー情報を付加したコンテンツデータを前記コンテンツデータ格納手段に格納されたコンテンツデータ自体を加工することなく生成してコンテンツデータ出力手段から出力できるように構成した。
【０００９】
なお、さらに詳細に説明すれば、本発明は下記の構成によって前記課題を解決できた。
【００１０】
（１）地図や図面、画像などのデジタルコンテンツを取り込むためのコンテンツデータ入力手段と、入力されたコンテンツデータを保存するためのコンテンツデータ記憶手段と、コンテンツデータをコンテンツデータ記憶手段に格納するコンテンツデータ格納手段と、格納されたコンテンツデータを出力用に変換するためのコンテンツデータ出力変換手段と、出力用に変換された単独または複数のコンテンツデータを出力するためのコンテンツデータ出力手段を備えた情報処理装置において、前記コンテンツデータ格納手段からコンテンツデータを指定するコンテンツデータ指定手段と、前記コンテンツデータ指定手段によって指定されたコンテンツデータの表示領域を指定する表示領域指定手段と、前記表示領域指定手段によって得られた表示領域にズーム設定を行うズーム設定手段と、前記表示領域指定手段とズーム設定手段によって得られたビュー（表示領域とズーム設定）をコンテンツデータ内に保存するためのコンテンツビュー情報記憶手段を設け、前記コンテンツデータ指定手段から指定した１つ以上のビュー情報を付加したコンテンツデータをコンテンツデータ出力手段から出力できるように構成したことを特徴とするコンテンツ表示方法。
【００１１】
（２）前記コンテンツデータ出力手段は、情報処理装置に内蔵されているかもしくは有線または無線により接続されたディスプレイ装置への出力を行うものであることを特徴とする前記（１）に記載のコンテンツ表示方法。
【００１２】
（３）前記コンテンツデータ出力手段から出力されるコンテンツデータは、サムネイル表示が出来ることを特徴とする前記（１）に記載のコンテンツ表示方法。
【００１３】
（４）前記コンテンツデータ出力手段から出力されるコンテンツデータのサムネイル表示は、コンテンツデータ指定手段からコンテンツの指定が出来ることを特徴とする前記（３）に記載のコンテンツ表示方法。
【００１４】
（５）前記コンテンツデータ出力手段から出力されるコンテンツデータは、ビュー情報を読む、読まないの指定が出来ることを特徴とする前記（１）に記載のコンテンツ表示方法。
【００１５】
（６）前記コンテンツデータ出力手段から出力されるコンテンツデータは、ビュー情報のみを表示することが出来ることを特徴とする前記（１）に記載のコンテンツ表示方法。
【００１６】
（７）前記コンテンツデータ出力手段から出力されるコンテンツデータは、１つ以上のビュー情報を指定して表示することが出来ることを特徴とする前記（１）に記載のコンテンツ表示方法。
【００１７】
（８）前記コンテンツデータ出力手段から出力されるコンテンツデータは、指定したビュー情報の含まれるコンテンツデータ全体を表示し、その中でビュー情報を識別させて表示することが出来ることを特徴とする前記（１）に記載のコンテンツ表示方法。
【００１８】
（９）前記（１）〜（８）いずれかに記載されたコンテンツ表示方法を使用してコンテンツデータを出力することを特徴とする装置。
【００１９】
（１０）前記（１）〜（８）いずれかに記載されたコンテンツ表示方法を使用した装置で解釈実行することのできるプログラムを格納したことを特徴とする記憶媒体。
【００２０】
（１１）地図や図面、画像などのデジタルコンテンツを取り込むためのコンテンツデータ入力手段と、入力されたコンテンツデータを保存するためのコンテンツデータ記憶手段と、コンテンツデータをコンテンツデータ記憶手段に格納するコンテンツデータ格納手段と、格納されたコンテンツデータを出力用に変換するためのコンテンツデータ出力変換手段と、出力用に変換された単独または複数のコンテンツデータを出力するためのコンテンツデータ出力手段を備えた情報処理装置において、前記コンテンツデータ格納手段からコンテンツデータを指定するコンテンツデータ指定手段と、前記コンテンツデータ指定手段によって指定されたコンテンツデータの表示領域を指定する表示領域指定手段と、前記表示領域指定手段によって得られた表示領域にズーム設定を行うズーム設定手段と、前記表示領域指定手段とズーム設定手段によって得られたビュー（表示領域とズーム設定）をコンテンツデータと別個に保存するためのビュー情報記憶手段を設け、前記ビュー情報記憶手段に格納されたビュー情報と前記コンテンツデータ格納手段に格納されたコンテンツデータとを合成して特定のビューを表示するためのビュー処理手段を設け、前記コンテンツデータ指定手段から指定した１つ以上のビュー情報を付加したコンテンツデータを前記コンテンツデータ格納手段に格納されたコンテンツデータ自体を加工することなく生成してコンテンツデータ出力手段から出力できるように構成したことを特徴とするコンテンツ表示方法。
【００２１】
（１２）前記コンテンツデータ出力手段は、情報処理装置に内蔵されているかもしくは有線または無線により接続されたディスプレイ装置への出力を行うものであることを特徴とする前記（１１）に記載のコンテンツ表示方法。
【００２２】
（１３）前記コンテンツデータ出力手段から出力されるコンテンツデータは、サムネイル表示が出来ることを特徴とする前記（１１）に記載のコンテンツ表示方法。
【００２３】
（１４）前記コンテンツデータ出力手段から出力されるコンテンツデータのサムネイル表示は、コンテンツデータ指定手段からコンテンツの指定が出来ることを特徴とする前記（１３）に記載のコンテンツ表示方法。
【００２４】
（１５）前記コンテンツデータ出力手段から出力されるコンテンツデータは、ビュー情報を読む、読まないの指定が出来ることを特徴とする前記（１１）に記載のコンテンツ表示方法。
【００２５】
（１６）前記コンテンツデータ出力手段から出力されるコンテンツデータは、ビュー情報のみを表示することが出来ることを特徴とする前記（１１）に記載のコンテンツ表示方法。
【００２６】
（１７）前記コンテンツデータ出力手段から出力されるコンテンツデータは、指定したビュー情報の含まれるコンテンツデータ全体を表示し、その中でビュー情報を識別させて表示することが出来ることを特徴とする前記（１１）に記載のコンテンツ表示方法。
【００２７】
（１８）前記（１１）〜（１７）いずれかに記載されたコンテンツ表示方法を使用してコンテンツデータを出力することを特徴とする装置。
【００２８】
（１９）前記（１１）〜（１７）いずれかに記載されたコンテンツ表示方法を使用した装置で解釈実行することのできるプログラムを格納したことを特徴とする記憶媒体。
【発明の効果】
【００２９】
本発明によれば、ユーザが任意の地点などを登録し、登録された地点を呼び出すことによってコンテンツ表示の利便性を向上するという効果がある。また、任意の地点だけでなく、その拡大率も登録することで、ユーザが必要とするズーム倍率で登録、表示するコンテンツ表示でさらにその利便性が向上する。
【００３０】
また本発明によれば、コンテンツデータにＳＶＧのｖｉｅｗタグを用いてビュー情報を登録する方法と、１対１に対応する外部ファイルを用いてビュー情報を登録する２通りの方法がある。コンテンツデータにビュー情報を登録すれば、コンテンツデータを移動させても登録したビュー情報は失われない。一方外部ファイルとして登録すれば、コンテンツデータとビュー情報は独立して扱うことができるため、同一のコンテンツデータに対して様々なビュー情報を組み合わせて多様なビュー表示を得ることができるという効果がある。
【００３１】
さらに、コンテンツデータ及びビュー情報にＸＭＬの標準規格を使用した場合には、ＸＭＬに対応した一般的なツールやテキストエディタを用いてコンテンツデータ及びビュー情報を編集できるため、コンテンツデータ作成の負担が軽減するという効果が得られる。
【００３２】
また、コンテンツデータ及びビュー情報の表現にＳＶＧの標準規格を使用した場合には、ＳＶＧに対応した一般的なインターネット閲覧ソフトウェアを用いてビュー情報を含めたコンテンツデータを表示できるため、携帯情報機器からＰＣまでコンテンツデータ表示の利便性が向上するという効果が得られる。
【発明を実施するための最良の形態】
【００３３】
以下、本発明の詳細をその実施の形態にもとづいて図面を参照しながら説明する。
【実施例】
【００３４】
図１は本発明の一実施形態による携帯情報機器の構成を示すブロック図である。
【００３５】
図１において、制御部１にはコンテンツデータ入力部２１、モード切替スイッチ３、コンテンツ指定スイッチ４、ビュー指定スイッチ５、ビュー情報消去スイッチ１６、表示領域指定スイッチ１７、ズーム設定スイッチ１８からそれぞれ信号が入力される。また制御部１からビュー情報記録部６、コンテンツ記録部７に対して出力がなされる。ビュー情報記録部６は、ビュー情報をコンテンツ内に記録する時、コンテンツ記録部７に対して出力がなされる。また、制御部１はＲＡＭ９、ＲＯＭ１０に接続している。
【００３６】
上記各部のうち、コンテンツデータ入力部２１は、地図や図面、画像などのデジタルコンテンツを制御部１に入力する。モード切替スイッチ３は表示部を全画面表示、サムネイル表示のいずれかに切り替えるスイッチである。
【００３７】
上記ビュー情報記録部６、コンテンツ記録部７はビュー情報やコンテンツデータの記録媒体への記録や記録媒体から読み込みを行うためのインタフェースである。また、同時に上記ビュー情報記録部６、コンテンツ記録部７はビュー情報やコンテンツデータの読み込み、書き込みができる。
【００３８】
上記表示部２は、２つの部分に分かれ、表示パネル部はＳＶＧ標準規格によって記述された内容を解釈し、動的に画像を生成して表示する機能を併せ持つ。また、もう１つの部分であるタッチパネル部はペンなどの入力装置との接触をデジタル信号に変換し、制御部１に出力する機能を持つ。モード切替スイッチ３によって、全画面表示とサムネイル表示を切り替える。
【００３９】
ＳＶＧ標準規格は、ＸＭＬ（Ｅｘｔｅｎｓｉｂｌｅ  Ｍａｒｋｕｐ  Ｌａｎｇｕａｇｅ）標準規格の文法に従って定義されたマークアップ言語である。ＳＶＧはタグによって表現が全て記述されており、ＳＶＧで記述されたファイルを表示する段階で始めて、その記述を解釈・実行する。ＳＶＧで記述された文書は、その表示する機器に対し全て同一のレイアウトで表示されるという特徴がある。
【００４０】
次に、上記のように構成された情報処理装置の実施例におけるコンテンツ表示モードについて説明する。図２はコンテンツ表示モードの処理の流れを示した図である。ビュー情報は、コンテンツデータ内に存在する場合と、コンテンツ外に存在する場合がある。まず、コンテンツデータ入力部２１から制御部１に入力し、さらに表示部２の表示パネルに転送する（ステップ１０１）。ビュー表示を行うかどうかを判断する処理を設け（ステップ１０２）、有効であればビュー情報がコンテンツデータ内に保存されているか判断する処理を設け（ステップ１０３）、コンテンツデータ内に保存されている場合はＳＶＧのｖｉｅｗタグから表示領域とズーム設定を読み込み（ステップ１０４）、ビュー情報を反映させたコンテンツデータを表示部２の表示パネルに転送する（ステップ１０６）。
【００４１】
ＳＶＧのｖｉｅｗタグには、ｉｄ属性でビュー情報の名称、ｖｉｅｗＢｏｘ属性でｘ、ｙ座標とその座標からの領域の幅、高さが記述されている。図５に、ＳＶＧのｖｉｅｗタグの記述例を示す。
【００４２】
ビュー情報がコンテンツデータの外部に保存されている場合は、ビュー情報とコンテンツデータ両方を読み込み（ステップ１０５）、ビュー情報を反映させたコンテンツデータを表示部２の表示パネルに転送する（ステップ１０６）。図６にビュー情報がコンテンツデータ外部に保存されている場合の、ユーザへの表示・選択例と、ビュー情報の記述例を表示する。
【００４３】
次にビュー登録処理について説明する。この図では、コンテンツデータに任意のビュー情報を登録する際の流れを示している。なお、ビュー情報は１つのコンテンツに対して、複数の登録ができる。まず、コンテンツデータ入力部２１から制御部１に入力し、さらに表示部２の表示パネルに転送する（ステップ２０１）。表示されたコンテンツデータから表示領域を表示領域指定スイッチ１７かペンでタッチパネルに指定（ステップ２０２）を行う。次にズーム設定の変更を行うかどうかを判断する処理を設け（ステップ２０３）、変更する場合はズーム設定スイッチ１８でズーム設定を行う（ステップ２０４）。
【００４４】
次にビュー情報の登録を行うかどうかを判断する処理を設け（ステップ２０５）、登録する場合にはコンテンツ内に保存するかどうかを判断する処理を設ける（ステップ２０６）。
【００４５】
ビュー情報をコンテンツ内に保存する場合は、ＳＶＧのｖｉｅｗタグを用いて、表示領域とズーム設定とＩＤを保存する（ステップ２０７）。一方、ビュー情報をコンテンツ外に保存する場合は、表示領域とズーム設定とＩＤを別ファイルで保存する（ステップ２０８）。このビュー情報ファイルはコンテンツデータと１対１で管理する。そのため、コンテンツデータが削除された場合には、対応するビュー情報ファイルも同時に削除される。続いてビュー登録を行う場合には、ステップ２０２から繰り返す。なお、上記各処理のいずれかの時点でビュー情報消去スイッチ１６が押下されることによって、ＲＡＭ９上のビュー情報は消去される。
【００４６】
すでにコンテンツ内外に保存されているビュー情報を削除する場合の流れを示したのが、図４である。ステップ２０１同様、コンテンツデータを表示部２の表示パネルに転送する（ステップ３０１）。ビューが複数登録されている場合は、ビュー情報の選択を行う（ステップ３０２）。選択したビュー情報がコンテンツ内に含まれているか判断し（ステップ３０３）、含まれている場合にはコンテンツ内の対応するＩＤのｖｉｅｗタグを削除する（ステップ３０４）。コンテンツ外に存在する場合には、ＩＤから対応する表示領域とズーム設定を削除する（ステップ３０５）。さらに、ビュー情報を削除する場合はステップ３０２からの処理を繰り返す。
【図面の簡単な説明】
【００４７】
【図１】本発明の一実施形態による情報処理装置の構成を示すブロック図である。
【図２】本発明の一実施形態におけるコンテンツ表示時の処理の流れを示すフローチャート図である。
【図３】本発明の一実施形態におけるビュー登録処理の流れを示すフローチャート図である。
【図４】本発明の一実施形態におけるビュー削除処理の流れを示すフローチャート図である。
【図５】本発明の一実施形態におけるｖｉｅｗタグでビュー情報を登録した記述例を示した図である。
【図６】本発明の一実施形態におけるコンテンツ外にビュー情報が登録されている場合の選択例と記述例を示した図である。
【図７】本発明の一実施形態におけるコンテンツデータとビュー情報の関係を示した図である。
【符号の説明】
【００４８】
１  制御部
２  表示部
３  モード切替スイッチ
４  コンテンツ指定スイッチ
５  ビュー指定スイッチ
６  ビュー情報記録部
７  コンテンツデータ記録部
９  ＲＡＭ
１０  ＲＯＭ
１６  ビュー情報消去スイッチ
１７  表示領域指定スイッチ
１８  ズーム設定スイッチ
２１  コンテンツデータ入力部
【図１】
2005234652.tif 000003
【図２】
2005234652.tif 000004
【図３】
2005234652.tif 000005
【図４】
2005234652.tif 000006
【図５】
2005234652.tif 000007
【図６】
2005234652.tif 000008
【図７】
2005234652.tif 000009